(57)【要約】  【課題】  光学ユニットを載置する載置台において、高剛性の材料を使用することなく、また床面に凹凸がある場所であっても、高い平面度を維持できるようにする。  【解決手段】  光学ユニット２を支持するアーム部１６ａ，１６ｂに上下方向に進退可能に調整用ネジ３が取り付けられ、調整用ネジ３の上端部を光学ユニット２の底面に当接させて、光学ユニット２の平面度を調整する。【選択図】      図１
2005335348.tif 000002
【特許請求の範囲】
【請求項１】
光学ユニットを支持する支持部と、この支持部に上下方向に進退可能に取り付けられた調整部材とを備え、
前記調整部材の上端部を光学ユニットの底面に当接させて、光学ユニットの平面度を調整することを特徴とする光学ユニット用載置台。
【請求項２】
底面の向かい合う端部の一方に形成された１つの突起と、もう一方に形成された２つの突起とによって載置台上に３点支持されることを特徴とする光学ユニット。
【請求項３】
平面視において、３つの突起を結んだ三角形の内部に重心が位置する請求項２記載の光学ユニット。
【発明の詳細な説明】
【技術分野】
【０００１】
本発明は光学ユニット用載置台（以下、単に「載置台」と記すことがある）及び光学ユニットに関し、より詳細には高い平面度が得られる光学ユニット用載置台及び光学ユニットに関するものである。
【背景技術】
【０００２】
複写機やプリンタ、ファクシミリなどの画像形成装置は、原稿画像を光学的に読み取り、その情報を電気信号に変換する画像読み取りユニット（光学ユニット）と、画像読み取りユニットから送られてきた電気信号を光信号に変換して感光体を露光し作像する画像形成ユニットとに大別できる。
【０００３】
光学的な画像の読み取りを行う画像読み取りユニットが歪んだ状態で取り付けられていると複写画像に歪みが生じる。例えば画像読み取りユニットが歪んでいると、９０°に折れ曲がった直線画像を複写したときに、複写画像が９０°よりも大きいあるいは小さい角度に折れ曲がった直線になる。したがって、画像読み取りユニットの載置面には高い平面度が要求される。従来は、画像読み取りユニットと画像形成ユニットとを一体として組み立てると共に、枠体の強度を上げるなどして画像読み取りユニットに歪みが生じないようにしていた。
【特許文献１】特開２００２−７７４８６号公報（特許請求の範囲、図２、図４）
【発明の開示】
【発明が解決しようとする課題】
【０００４】
ところが近年、画像形成装置のオフィスにおける設置位置の多様化などを図るために画像読み取りユニットと画像形成ユニットとを別体としたものが広く使用されつつある。この場合、画像読み取りユニットを載せる台の平面度を高くする必要があり、例えば載置台を高い剛性の部材で作製したりしていた。
【０００５】
しかし、剛性の高い材料を使用すると重量が重くなると共に、製造コストが高くなる問題があった。加えて載置台の剛性をいくら高くしても、設置床面に凹凸があると載置台を支える枠体が歪んでしまい、画像読み取りユニットに歪みが生じていた。
【０００６】
本発明はこのような従来の問題に鑑みてなされたものであり、その目的とするところは、高剛性の材料を使用することなく、また床面に凹凸がある場所であっても、高い平面度を維持できる載置台を提供することにある。
【０００７】
また本発明の目的は、載置台の平面度に拘わらず常に高い平面度を維持できる光学ユニットを提供することにある。
【課題を解決するための手段】
【０００８】
本発明によれば、光学ユニットを支持する支持部と、この支持部に上下方向に進退可能に取り付けられた調整部材とを備え、前記調整部材の上端部を光学ユニットの底面に当接させて、光学ユニットの平面度を調整することを特徴とする光学ユニット用載置台が提供される。
【０００９】
また本発明によれば、底面の向かい合う端部の一方に形成された１つの突起と、もう一方に形成された２つの突起とによって載置台上に３点支持されることを特徴とする光学ユニットが提供される。
【００１０】
ここで光学ユニットの安定性を一層向上させる観点から、平面視において、３つの突起を結んだ三角形の内部に光学ユニットの重心が位置するようにするのが望ましい。
【発明の効果】
【００１１】
本発明の載置台では、光学ユニットを支持する支持部に上下方向に進退可能に調整部材を取り付け、この調整部材の上端部を光学ユニットの底面に当接させて光学ユニットを支持するので、高剛性の材料を使用することなく光学ユニットの高い平面度を達成できる。また、床面に凹凸がある場所であっても、調整部材を進退させることによって光学ユニットの平面度を容易に高くすることができる。
【００１２】
また本発明の光学ユニットでは、底面の向かい合う端部の一方に１つの突起を形成し、もう一方の端部に２つの突起を形成して載置台上に３点支持されるようにしたので、載置台の平面度に拘わらず常に高い平面度を維持できる。
【００１３】
このとき平面視において、３つの突起を結んだ三角形の内部に光学ユニットの重心が位置するようにすると、光学ユニットの安定性を一層向上させることができる。
【発明を実施するための最良の形態】
【００１４】
以下、本発明を図に基づいて説明する。なお本発明はこれらの実施形態に何ら限定されるものではない。
【００１５】
図１は、本発明に係る光学ユニット用載置台の一実施形態を示す斜視図である。この図の載置台１は、底面の四隅に車輪１０を備えた基台１１を備え、中空四角柱形状の一対の垂直基部１２ａ，１２ｂが基台１１の側端から基台１１に対して垂直に取り付けられている。そして、この一対の垂直基部１２ａ，１２ｂの間には、強度を向上させるための板材１３が取り付けられている。一対の垂直基部１２ａ，１２ｂの上端開口には一対の垂直フレーム１４ａ，１４ｂが進退可能に取り付けられ、この一対の垂直フレーム１４ａ，１４ｂの上端には垂直フレーム１４ａ，１４ｂに対して直角に水平フレーム１５が取り付けられている。そして水平フレーム１５の両側端部には、一対のアーム部（支持部）１６ａ，１６ｂが前方へ伸びるように取り付けられている。
【００１６】
基台１１の上には例えば画像形成ユニットなどの装置（不図示）が載置される。このとき、基台１１上に載置する装置の上部が、載置台１のアーム部１６ａ，１６ｂと接触しないように、装置の高さに合わせて、垂直フレーム１４ａ，１４ｂを垂直基部１２ａ，１２ｂから進退させてアーム部１６ａ，１６ｂの高さを調整する。具体的には、垂直フレーム１４ａ，１４ｂを進退させて、垂直フレーム１４ａ，１４ｂに形成された孔（不図示）を、垂直基部１２ａ，１２ｂに形成された複数の調整用孔１２１のうち、アーム部１６ａ，１６ｂが所望の高さとなる適当な位置の調整用孔と重なるようにし、不図示のピンでネジ止めする。
【００１７】
一対のアーム部１６ａ，１６ｂには、内周面に雌ネジが切られた貫通孔１７がそれぞれ２個所づつ形成され、ここに調整用ネジ（調整部材）３がアーム部１６ａ，１６ｂの底面側から上方に向かって取り付けられている。調整用ネジ３のツマミ３１を回してネジ部３２を貫通孔１７に進入させていくと、やがてネジ部３２の先端が貫通孔１７から上方に突出する。このような状態でアーム部１６ａ，１６ｂ上に光学ユニット２を載置する。すると、ネジ部３２の先端が光学ユニット２の底面の四隅に当接する。そして、調整用ネジ３を回動させて貫通孔１７から突出したネジ部３２の長さを調整することによって、光学ユニット２の平面度を調整する。
【００１８】
例えば図２に示すように、光学ユニット２の重みによってアーム部１６ａの先端が下方に撓んだような場合、アーム部１６ａの先端側の調整用ネジ３を回してネジ部３２の貫通孔１７からの突出量を多くすることにより光学ユニット２の平面度を保持できる。もちろん載置台１が凹凸のある床面に設置された場合にも上記調整用ネジ３の調整により光学ユニット２の平面度を保持することができる。
【００１９】
光学ユニット２の平面度の具体的な調整は、例えば載置台１のアーム部１６ａ，１６ｂ上に光学ユニット２を一旦載置して、９０°に折れ曲がった直線画像を複写し、その複写画像の直角度のズレを測定する。そしてその測定結果に基づき光学ユニット２がどの方向に歪んでいるかを把握し、光学ユニット２の歪みが解消されるように、調整用ネジ３を回動させて貫通孔１７から突出したネジ部３２の長さを調整する。そして再び直線画像を複写してその複写画像の直角度のズレを測定し、上記と同様にして調整用ネジ３を調整する。このような操作を、直角度のズレが許容範囲以下となるまで繰り返す。
【００２０】
光学ユニット２の平面度の調整が完了した後は、そのままの状態で使用してももちろん構わないが、安全性の点から光学ユニット２はアーム部１６ａ，１６ｂにネジなどで固定するのが好ましい。
【００２１】
なお、この実施形態では光学ユニット２を一対のアーム部１６ａ，１６ｂで支持しているが、支持部が板状のものであってももちろん構わない。支持部が板状物である場合、調整用ネジ３の取り付け位置は、前記実施形態と同様に光学ユニット２の底面の四隅近傍が安定性の点から望ましい。また、本発明で使用する調整部材としては、上下方向に進退可能に支持部に取り付けられるものであればよく、調整用ネジの他、従来公知の部材を用いることができる。
【００２２】
次に、本発明に係る光学ユニットについて説明する。図３は、この発明に係る光学ユニット４を載置台１’に載置するときの斜視図である。載置台１’は、前述の載置台のアーム部１６ａ，１６ｂに調整用ネジ３が取り付けられていない以外は同じ構造であるのでここではその説明を省略する。
【００２３】
図３の光学ユニットの四面図を図４に示す。この光学ユニット４では、平面視において、光学ユニット４の底面の左端部中央部に突起４１が形成され、右端部両端部に突起４２，４３が形成されている。これらの突起によって光学ユニット４は載置台１’のアーム部１６ａ，１６ｂに３点支持される。これにより、載置台１’自身あるいは載置台１’を設置する床面に凹凸に起因する歪みが載置台１’に生じている場合であっても、かかる歪みが光学ユニット４に影響することがなく、光学ユニット４は高い平面度を保持することができる。
【００２４】
突起の形成位置は、光学ユニット４の底面の向かい合う端部であれば特に限定はないが、図４に示すように、平面視において、光学ユニット４の重心位置Ｇが３つの突起を結んだ三角形の内部に位置するように形成するのが好ましい。より好ましくは、光学ユニット４の重心位置Ｇが２つの突起４２，４３が形成された端部側に位置するようにするのが好ましく、このためには光学ユニット４の重い部分に近い端部に突起を２つ形成するのがよい。
【００２５】
光学ユニットの底面に形成する突起は、底面を構成するパネルを下方へ押し出し成形したものであってもよいし、載置用のゴム部材を取り付けたものであってもよい。光学ユニットを３点で支持する場合、光学ユニットに外力が作用すると揺動するので、この揺動を小さく抑える観点から、図５に示すように、光学ユニット４の底面と突起の下端面との距離Ｌはできるだけ短くするのが好ましく、実用的には０．５〜１．０ｍｍの範囲が好ましい。さらに、光学ユニット４の載置安定性を一層高める観点から、光学ユニット４と載置台１’とを接続固定してもよい。
【図面の簡単な説明】
【００２６】
【図１】本発明に係る載置台の一例を示す斜視図である。
【図２】本発明に係る載置台の使用状態を示す側面図である。
【図３】本発明に係る光学ユニットの一例を示す斜視図である。
【図４】図３の光学ユニットの正面図、左右側面図、平面図である。
【図５】突起の取り付け状態を示す拡大側面図である。
【符号の説明】
【００２７】
１    載置台
２    光学ユニット
３    調整用ネジ（調整部材）
４    光学ユニット
Ｇ    重心
１１    基台
１２ａ，１２ｂ    垂直基部
１３    板材
１４ａ，１４ｂ    垂直フレーム
１５    水平フレーム
１６ａ，１６ｂ    アーム部
１７    貫通孔
３１    ツマミ
３２    ネジ部
４１    突起
４２    突起
４３    突起
【図１】
2005335348.tif 000003
【図２】
2005335348.tif 000004
【図３】
2005335348.tif 000005
【図４】
2005335348.tif 000006
【図５】
2005335348.tif 000007